(57)【要約】【課題】通風経路から風向き変更手段の駆動ユニットへの調和空気の漏れによるモータや機構部品の結露の発生を防止することができる空気調和機の室内機を提供する。【解決手段】風向き変更手段である水平風向板５の駆動ユニット６は、風路７の外部に設置されている。駆動ユニット６は、モータ１１と、リンク機構１２と、ケース１３と、回転出力軸１４とを有している。リンク機構１２は、モータ１１の出力を伝達する。ケース１３は、モータ１１およびリンク機構１２を覆う。回転出力軸１４は、リンク機構１２を介して伝達されたモータ１１の出力をケース１３の外部に出力する。底部ケース２の風路構成部分２ａには、第１貫通孔１５が形成されている。第１貫通孔１５は、回転出力軸１４を風路７の内部に通す。第１貫通孔１５の周辺には、第１嵌合部２１を有する遮断構造が形成されている。遮断構造は、駆動ユニット６の内部と風路７との連通を遮断する。【選択図】図４
2007147155.tif 000002
【特許請求の範囲】
【請求項１】
風路（７）を構成する部材である風路構成部材（２ａ）と、
前記風路（７）の内部に設置され、室内に吹き出す調和空気の風向きを変える風向き変更手段（５）と、
前記風路（７）の外部に設置され、前記風向き変更手段（５）を駆動する駆動ユニット（６）
とを備えており、
前記駆動ユニット（６）は、モータ（１１）と、前記モータ（１１）の出力を伝達する機構部品（１２）と、前記モータ（１１）および機構部品（１２）を覆うケース（１３）と、前記機構部品（１２）を介して伝達されたモータ（１１）の出力を前記ケース（１３）外部に出力する回転出力軸（１４）とを有しており、
前記風路構成部材（２ａ）には、前記回転出力軸（１４）を前記風路（７）の内部に通す第１貫通孔（１５）が形成され、
前記第１貫通孔（１５）の周辺には、前記駆動ユニット（６）の内部と前記風路（７）との連通を遮断する遮断構造が形成されている、
空気調和機の室内機（１）。
【請求項２】
前記遮断構造は、前記回転出力軸（１４）と前記風路構成部材（２ａ）の第１貫通孔（１５）とが嵌合して構成された第１嵌合部（２１）を有している、
請求項１に記載の室内機（１）。
【請求項３】
前記第１嵌合部（２１）は、前記回転出力軸（１４）と前記第１貫通孔（１５）の内面との間に配置されたシール材をさらに有している、
請求項２に記載の室内機（１）。
【請求項４】
前記シール材は、グリス（２２）である、
請求項３に記載の室内機（１）。
【請求項５】
前記遮断構造は、前記回転出力軸（１４）と前記ケース（１３）に形成された第２貫通孔（２４）とが嵌合して構成された第２嵌合部（２３）を有している、
請求項１から４のいずれかに記載の室内機（１）。
【請求項６】
前記遮断構造は、前記風路構成部材（２ａ）における前記第１貫通孔（１５）周辺に形成された凸部（２８）と前記ケース（１３）に形成された凹部（２９）とが嵌合して構成された第３嵌合部（２７）を有している、
請求項２に記載の室内機（１）。
【請求項７】
前記ケース（１３）の前記風路構成部材（２ａ）に対向する面に空気層（３２）を形成するための空気層形成部（３１）をさらに備えている、
請求項１から６のいずれかに記載の室内機（１）。
【請求項８】
前記空気層形成部（３１）は、複数のリブ（３３）を有しており、
前記空気層（３２）は、互いに隣接する２つの前記リブ（３３）の間に形成されている、
請求項７に記載の室内機（１）。
【請求項９】
前記風路構成部材（２ａ）と前記ケース（１３）との間に配置された断熱材（３４）をさらに備えている、
請求項１から８のいずれかに記載の室内機（１）。
【発明の詳細な説明】
【技術分野】
【０００１】
本発明は、水平風向板を駆動するモータを備えた空気調和機の室内機に関する。
【背景技術】
【０００２】
従来より、特許文献１記載の空気調和機の室内機のように、水平風向板を駆動するモータを備えた空気調和機の室内機がある。この室内機では、通風経路を構成する側壁に貫通孔が形成されている。その貫通孔を通して、水平風向板の連結棒は、室内機本体の内部であって通風経路の外側に配置されたモータおよびリンク等の機構部品に連結されている。
【特許文献１】特開２００５−１４０４６０号公報
【発明の開示】
【発明が解決しようとする課題】
【０００３】
しかし、上記特許文献１記載の室内機では、室内熱交換器によって空気が冷却されて生成された調和空気が通風経路から貫通孔を通って漏れ出し、モータや機構部品に結露が発生するおそれがある。この特許文献１記載の室内機では、モータや機構部品を外気から遮断するための蓋を備えているが、室内機本体の内外の間における熱伝導を完全に遮断することが困難であり、モータや機構部品における結露の発生を抑えることが難しい。
【０００４】
本発明の課題は、通風経路から風向き変更手段の駆動ユニットへの調和空気の漏れによるモータや機構部品の結露の発生を防止することができる空気調和機の室内機を提供することにある。
【課題を解決するための手段】
【０００５】
第１発明の空気調和機の室内機は、風路構成部材と、風向き変更手段と、駆動ユニットとを備えている。風路構成部材は、風路を構成する部材である。風向き変更手段は、風路の内部に設置されている。風向き変更手段は、室内に吹き出す調和空気の風向きを変える。駆動ユニットは、風路の外部に設置されている。駆動ユニットは、風向き変更手段を駆動する。駆動ユニットは、モータと、機構部品と、ケースと、回転出力軸とを有している。機構部品は、モータの出力を伝達する。ケースは、モータおよび機構部品を覆う。回転出力軸は、機構部品を介して伝達されたモータの出力をケース外部に出力する。風路構成部材には、第１貫通孔が形成されている。第１貫通孔は、回転出力軸を風路の内部に通す。第１貫通孔の周辺には、遮断構造が形成されている。遮断構造は、駆動ユニットの内部と風路との連通を遮断する。
ここでは、駆動ユニットの内部と風路との連通を遮断する遮断構造が形成されているので、風路から風向き変更手段の駆動ユニットへの調和空気の漏れによるモータや機構部品の結露の発生を防止することが可能である。
【０００６】
第２発明の空気調和機の室内機は、第１発明の室内機であって、遮断構造は、第１嵌合部を有している。第１嵌合部は、回転出力軸と風路構成部材の第１貫通孔とが嵌合して構成されている。
ここでは、遮断構造が、回転出力軸と風路構成部材の第１貫通孔とが嵌合して構成された第１嵌合部を有しているので、回転出力軸と風路構成部材の第１貫通孔との嵌合によって、調和空気の漏れを防止することが可能である。
【０００７】
第３発明の空気調和機の室内機は、第２発明の室内機であって、第１嵌合部は、シール材をさらに有している。シール材は、回転出力軸と第１貫通孔の内面との間に配置されている。
ここでは、第１嵌合部が、回転出力軸と第１貫通孔の内面との間に配置されたシール材をさらに有しているので、第１嵌合部における気密性がさらに向上し、調和空気の漏れ防止効果を向上することが可能である。
【０００８】
第４発明の空気調和機の室内機は、第３発明の室内機であって、シール材は、グリスである。
ここでは、シール材がグリスであるので、調和空気の漏れ防止効果を向上するとともに、回転出力軸の潤滑を良くすることが可能である。
【０００９】
第５発明の空気調和機の室内機は、第１発明から第４発明のいずれかの室内機であって、遮断構造は、第２嵌合部を有している。第２嵌合部は、回転出力軸とケースに形成された第２貫通孔とが嵌合して構成されている。
ここでは、遮断構造が、回転出力軸とケースに形成された第２貫通孔とが嵌合して構成された第２嵌合部を有しているので、回転出力軸とケースの第２貫通孔との嵌合によって、調和空気の漏れを防止することが可能である。
【００１０】
第６発明の空気調和機の室内機は、第２発明の室内機であって、遮断構造は、第３嵌合部を有している。第３嵌合部は、凸部と凹部とが嵌合して構成されている。凸部は、風路構成部材における第１貫通孔周辺に形成されている。凹部は、ケースに形成されている。
ここでは、遮断構造が、風路構成部材における第１貫通孔周辺に形成された凸部とケースに形成された凹部とが嵌合して構成された第３嵌合部を有しているので、風路構成部材の凸部とケースの凹部との嵌合によって、回転出力軸と第１貫通孔の内面との密着性が向上し、調和空気の漏れ防止効果をさらに向上することが可能である。
【００１１】
第７発明の空気調和機の室内機は、第１発明から第６発明のいずれかの室内機であって、ケースの風路構成部材に対向する面に空気層を形成するための空気層形成部をさらに備えている。
ここでは、ケースの風路構成部材に対向する面に空気層を形成するための空気層形成部をさらに備えているので、空気層によってケースの内部と風路との間の熱伝導を防止してケース内部の空気の温度低下による結露の発生を防止することが可能である。
【００１２】
第８発明の空気調和機の室内機は、第７発明の室内機であって、空気層形成部は、複数のリブを有している。空気層は、互いに隣接する２つのリブの間に形成されている。
ここでは、互いに隣接する２つのリブの間に形成された空気層によってケースの内部と風路との間の熱伝導を防止してケース内部の空気の温度低下による結露の発生を防止することが可能である。
【００１３】
第９発明の空気調和機の室内機は、第１発明から第８発明のいずれかの室内機であって、断熱材をさらに備えている。断熱材は、風路構成部材とケースとの間に配置されている。
【００１４】
ここでは、風路構成部材とケースとの間に配置された断熱材によって、ケースの内部と風路との間の熱伝導を防止してケース内部の空気の温度低下による結露の発生を防止することが可能である。
【発明の効果】
【００１５】
第１発明によれば、風路から風向き変更手段の駆動ユニットへの調和空気の漏れによるモータや機構部品の結露の発生を防止することができる。
第２発明によれば、回転出力軸と風路構成部材の第１貫通孔との嵌合によって、調和空気の漏れを防止することができる。
第３発明によれば、第１嵌合部における気密性がさらに向上し、調和空気の漏れ防止効果を向上することができる。
【００１６】
第４発明によれば、調和空気の漏れ防止効果を向上するとともに、回転出力軸の潤滑を良くすることができる。
第５発明によれば、回転出力軸とケースの第２貫通孔との嵌合によって、調和空気の漏れを防止することができる。
第６発明によれば、風路構成部材の凸部とケースの凹部との嵌合によって、回転出力軸と第１貫通孔の内面との密着性が向上し、調和空気の漏れ防止効果をさらに向上することができる。
【００１７】
第７発明によれば、空気層によってケースの内部と風路との間の熱伝導を防止してケース内部の空気の温度低下による結露の発生を防止することができる。
第８発明によれば、互いに隣接する２つのリブの間に形成された空気層によってケースの内部と風路との間の熱伝導を防止してケース内部の空気の温度低下による結露の発生を防止することができる。
【００１８】
第９発明によれば、風路構成部材とケースとの間に配置された断熱材によって、ケースの内部と風路との間の熱伝導を防止してケース内部の空気の温度低下による結露の発生を防止することができる。
【発明を実施するための最良の形態】
【００１９】
〔空気調和機の室内機１の全体構成〕
図１には、本発明の実施形態に係る空気調和機の室内機の内部構成を示す縦断面図が示されている。
室内機１は、室内の壁面などに取り付けられて用いられ、主として、風路構成部分２ａを有する底部ケース２と、上部ケース３と、室内熱交換器４およびクロスフローファン８を有する本体部分と、風向き変更手段である水平風向板５と、駆動ユニット６とによって構成されている。
【００２０】
底部ケース２は、室内熱交換器４やクロスフローファン８等の本体部分の底面側および背面側を覆う。上部ケース３は、本体部分の前面側を覆うようにして、底部ケース２に対して嵌合される。底部ケース２の上面側には、風路７を構成する風路構成部分２ａが形成されている。風路構成部分２ａには、図３に示されるように、回転出力軸１４を風路７の内部に通す第１貫通孔１５が形成されている。
【００２１】
上部ケース３は、室内機１の前部を構成している。この上部ケース３には、吸込口３ａ、３ｂが設けられている。室内熱交換器４は、クロスフローファン８の円周面に対向して配置されており、クロスフローファン８の前方、上方および後方を取り囲むように取り付けられている。室内熱交換器４では、クロスフローファン８を回転させたときに吸込口３ａ、３ｂからクロスフローファン８側に吸い込まれる空気と室内熱交換器４の内部を通過する冷媒との間で、熱交換が行われる。
【００２２】
また、上部ケース３には、室内機１の長辺方向（幅方向）に沿う開口からなる吹出口９が設けられている。この吹出口９から、クロスフローファン８によって生成された空気流が室内へと吹き出される。
風路７は、クロスフローファン８によって生成された空気流を整流して吹出口９へと導く。風路７は、底部ケース２と上部ケース３が組み合わされることによって形成されている。風路７の内部には、水平風向板５および水平フラップ１０がそれぞれ複数枚設けられている。
【００２３】
複数の水平風向板５は、図２に示されるように、それぞれの上部が取付板２０に対して、左右に揺動自在に取り付けられている。取付板２０は、底部ケース２に固定されている。
また、複数の水平風向板５は、駆動ユニット６の回転出力軸１４の回転駆動力によって左右に揺動することができるように、連結ピン１９、連結棒１７、連結ピン１８およびアーム１６を介して回転出力軸１４に連結されている。具体的には、複数の水平風向板５は、連結ピン１９によって共通の連結棒１７に連結されている。各々の水平風向板５は、連結ピン１９回りに回転できるように連結棒１７に連結されている。連結棒１７は、回転出力軸１４に固定されたアーム１６と連結ピン１８を介して連結されている。連結棒１７は、連結ピン１８回りに回転できるようにアーム１６に連結されている。
【００２４】
水平フラップ１０は、室内に吹き出される空気流を上下に案内するためのものであり、吹出口９の近傍に配置されている。この水平フラップ１０は、吹出口９の長辺方向に長い矩形状の板状部材である。水平フラップ１０は、吹出口９の長辺方向に平行な軸を中心に回動自在になっており、フラップモータ（図示せず）によって回転駆動される。これにより、水平フラップ１０は、空気流を上下に案内することができるとともに、吹出口９を閉塞することができる。
【００２５】
＜駆動ユニット６の構成＞
駆動ユニット６は、図３〜図５に示されるように、モータ１１と、モータ１１の出力を伝達する機構部品であるリンク機構１２と、モータ１１およびリンク機構１２を覆うケース１３と、リンク機構１２を介して伝達されたモータ１１の出力を前記ケース１３外部に出力する回転出力軸１４とを有している。
【００２６】
モータ１１は、ステッピングモータからなり、入力信号に応じて時計回りまたは反時計方向のいずれかの回転方向および回転角度を選択して回転駆動力をリンク機構１２に伝達することができる。
リンク機構１２は、モータ１１の回転駆動力を回転出力軸１４へ伝達する。リンク機構１２は、モータ１１の駆動軸１１ａに連結された第１アーム１２ａと、連結棒１２ｂと、第１アーム１２ａと連結棒１２ｂとを互いに回転自在に連結する連結ピン１２ｃと、回転出力軸１４に連結された第２アーム１２ｄと、連結棒１２ｂと第２アーム１２ｄとを互いに回転自在に連結する連結ピン１２ｅとから構成されている。
【００２７】
ケース１３は、下方に開放されたケース本体１３ａと、底蓋１３ｂとから構成されている。
図４に示されるように、底部ケース２の風路構成部分２ａにおける第１貫通孔１５の周辺には、駆動ユニット６の内部と風路７との連通を遮断する遮断構造が形成されている。本実施形態の遮断構造は、３つの嵌合部、すなわち、第１嵌合部２１、第２嵌合部２３および第３嵌合部２７を有している。
【００２８】
第１嵌合部２１は、回転出力軸１４と底部ケース２の風路構成部分２ａの第１貫通孔１５とが嵌合して構成されている。
第１嵌合部２１は、回転出力軸１４と第１貫通孔１５の内面との間に配置されたシール材として、グリス２２をさらに有している。グリス２２によって、第１貫通孔１５からの調和空気の漏れ防止の効果をさらに向上させることが可能であるとともに回転出力軸１４の潤滑を良くすることが可能である。
【００２９】
第２嵌合部２３は、回転出力軸１４とケース１３に形成された第２貫通孔２４とが嵌合して構成されている。
第３嵌合部２７は、凸部２８と凹部２９とが嵌合して構成されている。凸部２８は、底部ケース２の風路構成部分２ａにおける第１貫通孔１５周辺に形成されている。凹部２９は、ケース１３に形成されている。
【００３０】
＜空気層形成部３１の構成＞
室内機１は、ケース１３における風路構成部分２ａに対向する面に空気層３２を形成するための空気層形成部３１をさらに備えている。
空気層形成部３１は、複数のリブ３３を有している。空気層３２は、互いに隣接する２つのリブ３３の間に形成されている。
このように、ケース１３の上面に形成された空気層３２によってケース１３の内部と風路７との間の熱伝導を防止することが可能である。
【００３１】
＜断熱材３４の構成＞
室内機１は、図３に示されるように、底部ケース２の風路構成部分２ａと駆動ユニット６のケース１３との間に配置された断熱材３４をさらに備えている。断熱材３４は、断熱性を有するシート状の材料によって製造されている。断熱材３４は、ケース１３の上面のうち空気層形成部３１が形成された部分を覆うように配置されている。なお、断熱材３４には、駆動ユニット６の回転出力軸１４および凹部２９に対応する位置に開口３４ａが形成されているので、回転出力軸１４および凹部２９が底部ケース２の第１貫通孔１５および凸部２８（図４参照）とそれぞれ嵌合することが可能である。
【００３２】
＜特徴＞
（１）
実施形態の室内機１では、駆動ユニット６の内部と風路７との連通を遮断する遮断構造（第１嵌合部２１、第２嵌合部２３、および第３嵌合部２７）が形成されているので、風路７から水平風向板５の駆動ユニット６への調和空気の漏れによるモータ１１やリンク機構１２などの機構部品の結露の発生を防止することが可能である。
【００３３】
（２）
実施形態の室内機１では、遮断構造が回転出力軸１４と風路構成部分２ａの第１貫通孔１５とが嵌合して構成された第１嵌合部２１を有しているので、回転出力軸１４と風路構成部分２ａの第１貫通孔１５との嵌合によって、調和空気の漏れを防止することが可能である。
【００３４】
（３）
実施形態の室内機１では、第１嵌合部２１が回転出力軸１４と第１貫通孔１５の内面との間に配置されたシール材としてグリス２２をさらに有しているので、第１嵌合部２１における気密性がさらに向上し、調和空気の漏れ防止効果を向上することが可能である。
（４）
実施形態の室内機１では、シール材としてグリス２２が用いられているので、調和空気の漏れ防止効果を向上するとともに、回転出力軸１４の潤滑を良くすることが可能である。
【００３５】
（５）
実施形態の室内機１では、遮断構造が回転出力軸１４とケース１３に形成された第２貫通孔２４とが嵌合して構成された第２嵌合部２３を有しているので、回転出力軸１４とケース１３の第２貫通孔２４との嵌合によって、調和空気の漏れを防止することが可能である。
【００３６】
（６）
実施形態の室内機１では、遮断構造が風路構成部分２ａにおける第１貫通孔１５周辺に形成された凸部２８とケース１３に形成された凹部２９とが嵌合して構成された第３嵌合部２７を有しているので、風路構成部分２ａの凸部２８とケース１３の凹部２９との嵌合によって、回転出力軸１４と第１貫通孔１５の内面との密着性が向上し、調和空気の漏れ防止効果をさらに向上することが可能である。
【００３７】
（７）
実施形態の室内機１は、ケース１３における風路構成部分２ａに対向する面に空気層３２を形成するための空気層形成部３１をさらに備えているので、空気層３２によってケース１３の内部と風路７との間の熱伝導を防止してケース１３の内部の空気の温度低下による結露の発生を防止することが可能である。
【００３８】
（８）
実施形態の室内機１は、互いに隣接する２つのリブ３３の間に形成された空気層３２によって、ケース１３の内部と風路７との間の熱伝導を防止してケース１３の内部の空気の温度低下による結露の発生を防止することが可能である。
（９）
実施形態の室内機１は、風路構成部分２ａとケース１３との間に配置された断熱材３４によって、ケース１３の内部と風路７との間の熱伝導を防止してケース１３の内部の空気の温度低下による結露の発生を防止することが可能である。
【００３９】
＜変形例＞
（Ａ）
上記実施形態では、風向き変更手段として水平風向板５を採用しているが、本発明はこれに限定されるものではなく、水平風向板以外にも、水平フラップ９、１０などの垂直方向の風向きを変える手段なども、本発明の風向き変更手段として用いることが可能である。
【００４０】
（Ｂ）
上記実施形態では、風路７を構成する風路構成部材として、底部ケース２の風路構成部分２ａを用いているが、本発明はこれに限定されるものではなく、底部ケース２とは別体の部材を風路構成部材として用いてもよい。
【産業上の利用可能性】
【００４１】
本発明は、水平風向板を駆動するモータを備えた空気調和機の室内機に適用することが可能である。
【図面の簡単な説明】
【００４２】
【図１】本発明の実施形態に係わる空気調和機の室内機の縦断面図。
【図２】図１の室内機の水平風向板周辺の部分の構成図。
【図３】図２の駆動ユニットの装着前の状態を示す分解斜視図。
【図４】図１の室内機の回転出力軸周辺の拡大断面図。
【図５】図２の駆動ユニットの内部構成を示す斜視図。
【符号の説明】
【００４３】
１  室内機
２  底部フレーム
２ａ  風路構成部分
５  水平風向板
６  駆動ユニット
７  風路
１１  モータ
１２  リンク機構
１３  ケース
１４  回転出力軸
１５  第１貫通孔
２１  第１嵌合部
２２  グリス
２３  第２嵌合部
２４  第２貫通孔
２７  第３嵌合部
２８  凸部
２９  凹部
３１  空気層形成部
３２  空気層
３３  リブ
３４  断熱材
【図１】
2007147155.tif 000003
【図２】
2007147155.tif 000004
【図３】
2007147155.tif 000005
【図４】
2007147155.tif 000006
【図５】
2007147155.tif 000007
【手続補正書】
【提出日】平成19年3月2日(2007.3.2)
【手続補正１】
【補正対象書類名】特許請求の範囲
【補正対象項目名】全文
【補正方法】変更
【補正の内容】
【特許請求の範囲】
【請求項１】
風路（７）を構成する部材である風路構成部材（２ａ）と、
前記風路（７）の内部に設置され、室内に吹き出す調和空気の風向きを変える風向き変更手段（５）と、
前記風路（７）の外部に設置され、前記風向き変更手段（５）を駆動する駆動ユニット（６）
とを備えており、
前記駆動ユニット（６）は、モータ（１１）と、前記モータ（１１）の出力を伝達する機構部品（１２）と、前記モータ（１１）および機構部品（１２）を覆うケース（１３）と、前記機構部品（１２）を介して伝達されたモータ（１１）の出力を前記ケース（１３）外部に出力する回転出力軸（１４）とを有しており、
前記風路構成部材（２ａ）には、前記回転出力軸（１４）を前記風路（７）の内部に通す第１貫通孔（１５）が形成され、
前記第１貫通孔（１５）の周辺には、前記駆動ユニット（６）の内部と前記風路（７）との連通を遮断する遮断構造が形成されており、
前記遮断構造は、前記回転出力軸（１４）と前記風路構成部材（２ａ）の第１貫通孔（１５）とが嵌合して構成された第１嵌合部（２１）と、前記風路構成部材（２ａ）における前記第１貫通孔（１５）周辺に形成された凸部（２８）と前記ケース（１３）に形成された凹部（２９）とが嵌合して構成された第３嵌合部（２７）とを有している、
空気調和機の室内機（１）。
【請求項２】
前記第１嵌合部（２１）は、前記回転出力軸（１４）と前記第１貫通孔（１５）の内面との間に配置されたシール材をさらに有している、
請求項１に記載の室内機（１）。
【請求項３】
前記シール材は、グリス（２２）である、
請求項２に記載の室内機（１）。
【請求項４】
前記遮断構造は、前記回転出力軸（１４）と前記ケース（１３）に形成された第２貫通孔（２４）とが嵌合して構成された第２嵌合部（２３）を有している、
請求項１から３のいずれかに記載の室内機（１）。
【請求項５】
前記ケース（１３）の前記風路構成部材（２ａ）に対向する面に空気層（３２）を形成するための空気層形成部（３１）をさらに備えている、
請求項１から４のいずれかに記載の室内機（１）。
【請求項６】
前記空気層形成部（３１）は、複数のリブ（３３）を有しており、
前記空気層（３２）は、互いに隣接する２つの前記リブ（３３）の間に形成されている、
請求項５記載の室内機（１）。
【請求項７】
前記風路構成部材（２ａ）と前記ケース（１３）との間に配置された断熱材（３４）をさらに備えている、
請求項１から６のいずれかに記載の室内機（１）。
【手続補正２】
【補正対象書類名】明細書
【補正対象項目名】０００５
【補正方法】変更
【補正の内容】
【０００５】
第１発明の空気調和機の室内機は、風路構成部材と、風向き変更手段と、駆動ユニットとを備えている。風路構成部材は、風路を構成する部材である。風向き変更手段は、風路の内部に設置されている。風向き変更手段は、室内に吹き出す調和空気の風向きを変える。駆動ユニットは、風路の外部に設置されている。駆動ユニットは、風向き変更手段を駆動する。駆動ユニットは、モータと、機構部品と、ケースと、回転出力軸とを有している。機構部品は、モータの出力を伝達する。ケースは、モータおよび機構部品を覆う。回転出力軸は、機構部品を介して伝達されたモータの出力をケース外部に出力する。風路構成部材には、第１貫通孔が形成されている。第１貫通孔は、回転出力軸を風路の内部に通す。第１貫通孔の周辺には、遮断構造が形成されている。遮断構造は、駆動ユニットの内部と風路との連通を遮断する。遮断構造は、第１嵌合部と、第３嵌合部とを有している。第１嵌合部は、回転出力軸と風路構成部材の第１貫通孔とが嵌合して構成されている。第３嵌合部は、凸部と凹部とが嵌合して構成されている。凸部は、風路構成部材における第１貫通孔周辺に形成されている。凹部は、ケースに形成されている。
ここでは、駆動ユニットの内部と風路との連通を遮断する遮断構造が形成されているので、風路から風向き変更手段の駆動ユニットへの調和空気の漏れによるモータや機構部品の結露の発生を防止することが可能である。
また、遮断構造が、回転出力軸と風路構成部材の第１貫通孔とが嵌合して構成された第１嵌合部を有しているので、回転出力軸と風路構成部材の第１貫通孔との嵌合によって、調和空気の漏れを防止することが可能である。
さらに、遮断構造が、風路構成部材における第１貫通孔周辺に形成された凸部とケースに形成された凹部とが嵌合して構成された第３嵌合部を有しているので、風路構成部材の凸部とケースの凹部との嵌合によって、回転出力軸と第１貫通孔の内面との密着性が向上し、調和空気の漏れ防止効果をさらに向上することが可能である。
【手続補正３】
【補正対象書類名】明細書
【補正対象項目名】０００６
【補正方法】削除
【補正の内容】
【手続補正４】
【補正対象書類名】明細書
【補正対象項目名】０００７
【補正方法】変更
【補正の内容】
【０００７】
第２発明の空気調和機の室内機は、第１発明の室内機であって、第１嵌合部は、シール材をさらに有している。シール材は、回転出力軸と第１貫通孔の内面との間に配置されている。
ここでは、第１嵌合部が、回転出力軸と第１貫通孔の内面との間に配置されたシール材をさらに有しているので、第１嵌合部における気密性がさらに向上し、調和空気の漏れ防止効果を向上することが可能である。
【手続補正５】
【補正対象書類名】明細書
【補正対象項目名】０００８
【補正方法】変更
【補正の内容】
【０００８】
第３発明の空気調和機の室内機は、第２発明の室内機であって、シール材は、グリスである。
ここでは、シール材がグリスであるので、調和空気の漏れ防止効果を向上するとともに、回転出力軸の潤滑を良くすることが可能である。
【手続補正６】
【補正対象書類名】明細書
【補正対象項目名】０００９
【補正方法】変更
【補正の内容】
【０００９】
第４発明の空気調和機の室内機は、第１発明から第３発明のいずれかの室内機であって、遮断構造は、第２嵌合部を有している。第２嵌合部は、回転出力軸とケースに形成された第２貫通孔とが嵌合して構成されている。
ここでは、遮断構造が、回転出力軸とケースに形成された第２貫通孔とが嵌合して構成された第２嵌合部を有しているので、回転出力軸とケースの第２貫通孔との嵌合によって、調和空気の漏れを防止することが可能である。
【手続補正７】
【補正対象書類名】明細書
【補正対象項目名】００１０
【補正方法】削除
【補正の内容】
【手続補正８】
【補正対象書類名】明細書
【補正対象項目名】００１１
【補正方法】変更
【補正の内容】
【００１１】
第５発明の空気調和機の室内機は、第１発明から第４発明のいずれかの室内機であって、ケースの風路構成部材に対向する面に空気層を形成するための空気層形成部をさらに備えている。
ここでは、ケースの風路構成部材に対向する面に空気層を形成するための空気層形成部をさらに備えているので、空気層によってケースの内部と風路との間の熱伝導を防止してケース内部の空気の温度低下による結露の発生を防止することが可能である。
【手続補正９】
【補正対象書類名】明細書
【補正対象項目名】００１２
【補正方法】変更
【補正の内容】
【００１２】
第６発明の空気調和機の室内機は、第５発明の室内機であって、空気層形成部は、複数のリブを有している。空気層は、互いに隣接する２つのリブの間に形成されている。
ここでは、互いに隣接する２つのリブの間に形成された空気層によってケースの内部と風路との間の熱伝導を防止してケース内部の空気の温度低下による結露の発生を防止することが可能である。
【手続補正１０】
【補正対象書類名】明細書
【補正対象項目名】００１３
【補正方法】変更
【補正の内容】
【００１３】
第７発明の空気調和機の室内機は、第１発明から第６発明のいずれかの室内機であって、断熱材をさらに備えている。断熱材は、風路構成部材とケースとの間に配置されている。
【手続補正１１】
【補正対象書類名】明細書
【補正対象項目名】００１５
【補正方法】変更
【補正の内容】
【００１５】
第１発明によれば、風路から風向き変更手段の駆動ユニットへの調和空気の漏れによるモータや機構部品の結露の発生を防止することができる。また、回転出力軸と風路構成部材の第１貫通孔との嵌合によって、調和空気の漏れを防止することができる。さらに、風路構成部材の凸部とケースの凹部との嵌合によって、回転出力軸と第１貫通孔の内面との密着性が向上し、調和空気の漏れ防止効果をさらに向上することができる。
第２発明によれば、第１嵌合部における気密性がさらに向上し、調和空気の漏れ防止効果を向上することができる。
【手続補正１２】
【補正対象書類名】明細書
【補正対象項目名】００１６
【補正方法】変更
【補正の内容】
【００１６】
第３発明によれば、調和空気の漏れ防止効果を向上するとともに、回転出力軸の潤滑を良くすることができる。
第４発明によれば、回転出力軸とケースの第２貫通孔との嵌合によって、調和空気の漏れを防止することができる。
【手続補正１３】
【補正対象書類名】明細書
【補正対象項目名】００１７
【補正方法】変更
【補正の内容】
【００１７】
第５発明によれば、空気層によってケースの内部と風路との間の熱伝導を防止してケース内部の空気の温度低下による結露の発生を防止することができる。
第６発明によれば、互いに隣接する２つのリブの間に形成された空気層によってケースの内部と風路との間の熱伝導を防止してケース内部の空気の温度低下による結露の発生を防止することができる。
【手続補正１４】
【補正対象書類名】明細書
【補正対象項目名】００１８
【補正方法】変更
【補正の内容】
【００１８】
第７発明によれば、風路構成部材とケースとの間に配置された断熱材によって、ケースの内部と風路との間の熱伝導を防止してケース内部の空気の温度低下による結露の発生を防止することができる。